(57)【要約】【課題】名刺を用いて広告を効果的に行なう。【解決手段】名刺の束２０１に広告物２０２を付加した広告付き名刺束を提供する。このような名刺の束の名刺には、名刺を発注した人の情報が印刷されており、この情報を用いて広告物を選択し、名刺の束に付加して納入することにより、名刺を発注した人に適合した広告物が届けられ、広告効果が上がる。また、名刺の発注は、ある程度の時間の間隔をおいて行なわれるので、短時間の内に何回も広告物が送られて飽きが発生することがない。また、広告物が外部から見えないように箱に入れると、どのような広告物が入っているかの興味を引き、広告効果を上げることができる。【選択図】　図２
2004058475.tif 000002
【特許請求の範囲】
【請求項１】
同じ内容が印刷された複数枚の名刺の束に広告物を付加した広告付き名刺束。
【請求項２】
前記広告物は、前記名刺として印刷された内容に基づいて選択されたことを特徴とする請求項１に記載の広告付き名刺束。
【請求項３】
前記広告物の射影形状は名刺の大きさと同等又はそれ以下であることを特徴とする請求項１または２に記載の広告付き名刺束。
【請求項４】
前記広告物は、小冊子であることを特徴とする請求項１から３のいずれか一に記載の広告付き名刺束。
【請求項５】
前記広告物は、試供品であることを特徴とする請求項１から３のいずれか一に記載の広告付き名刺束。
【請求項６】
前記広告物は、クーポン券であることを特徴とする請求項１から４のいずれか一に記載の広告付き名刺束。
【請求項７】
前記クーポン券は、前記名刺として印刷された住所の付近の施設にて使用可能であることを特徴とする請求項６に記載の広告付き名刺束。
【請求項８】
請求項１ないし７のいずれか一に記載の広告付き名刺束を格納した名刺箱。
【請求項９】
名刺を印刷する名刺印刷ステップと、
前記名刺として印刷される内容に基づいて広告物を選択する広告物選択ステップと、
前記名刺印刷ステップで印刷された名刺の束に、前記広告物選択ステップで選択された広告物を付加する付加ステップと、
を含む広告付き名刺束製造方法
【請求項１０】
名刺を印刷する名刺印刷ステップと、
前記名刺として印刷される内容に基づいてクーポン券の内容を決定するクーポン印刷内容決定ステップと、
前記クーポン印刷内容決定ステップにて決定された内容のクーポン券を印刷するクーポン券印刷ステップと、
前記名刺印刷ステップで印刷された名刺の束に前記クーポン券印刷ステップで印刷されたクーポン券を付加する付加ステップと、
を含むクーポン付き名刺束製造方法。
【請求項１１】
前記クーポン印刷内容決定ステップにおいては、名刺として印刷される住所の付近の施設であって、クーポン券が使用可能である施設に関するクーポン券の内容が決定されることを特徴とする請求項１０に記載のクーポン付き名刺束製造方法。
【発明の詳細な説明】
【０００１】
【発明の属する技術分野】
本発明は、広告効果を持たせた名刺に関する。特に、広告物を付加した名刺の束に関する。
【０００２】
【従来の技術】
従来、広告効果を持たせた名刺としては、名刺の表面あるいは裏面に広告を印刷するものがあった。このように広告を名刺に印刷することにより、広告料を名刺作成の費用の一部または全部に充てることができ、名刺の発注者は名刺を安価にてあるいは無料にて入手することが可能となる。
【０００３】
【発明が解決しようとする課題】
この広告を印刷した名刺においては、次のような課題がある。すなわち、広告が名刺に印刷されていることにより、名刺の与える印象が良いものでなくなるという課題がある。このため、広告が印刷された名刺が使用されなくなり、広告の効果が出なくなってしまう。
【０００４】
また、名刺は、一般には、不特定の者に対して不特定の場所にて配布されるため、配布される者や配布される場所が広告主の希望する者や場所と同じにすることができないという課題がある。このため、充分な広告効果が期待できない。
【０００５】
そこで、本発明では、以上の課題を解決するために、広告効果を持たせた名刺を提供することを目的とする。
【０００６】
【課題を解決するための手段】
かかる目的を達成するために、本発明においては、同じ内容が印刷された名刺の束に広告物を付加した広告付き名刺束を提供する。本発明の広告付き名刺束は、主に、名刺の印刷業者より名刺の使用者に納入されることを想定している。
【０００７】
このような名刺束により、名刺に広告が印刷されないようにすることができ、広告により名刺の印象が悪くなることがなくなる。また、付加された広告物は、名刺束の発注者の手に渡るので、広告主は、属性が明らかな者に対して広告物を渡すことができ、広告効果を高めることができる。
【０００８】
また、広告物は、名刺として印刷された内容に基づいて選択されるようにしてもよい。これにより、例えば特定の役職の人や特定の住所の事業所に勤めている人に広告物を渡すことができ、広告効果を上げることができる。
【０００９】
また、広告物の射影形状は、名刺の大きさと同等又はそれ以下であってもよい。このようにすることにより、広告物と名刺の束を一つにまとめて自然な形態で包装したりすることができる。
【００１０】
また、広告物は、小冊子、試供品、クーポン券であってもよい。特にクーポン券である場合には、名刺として印刷された住所の付近の施設にて使用可能のものであってもよい。
【００１１】
また、本発明の広告付き名刺束を名刺箱に格納してもよい。
【００１２】
また、本発明においては、名刺を印刷するステップと、広告物を選択するステップと、印刷された名刺の束に広告物を付加するステップと、を含む広告付き名刺束製造方法が提供される。これにより、広告付き名刺が製造できるようになる。
【００１３】
また、本発明においては、名刺を印刷するステップと、クーポン券の内容を決定するステップと、クーポン券を印刷するステップと、前記名刺に前記クーポン券を付加するステップを含むクーポン付き名刺束製造方法が提供される。これにより、広告物としてクーポン券が用いられた場合の広告付き名刺束を製造することができる。
【００１４】
また、クーポン券の内容を決定するステップにおいては、名刺として印刷される住所の付近の施設にて使用されるクーポンの内容が決定されるようになっていてもよい。
【００１５】
【発明の実施の形態】
以下、本発明の実施形態について、図を用いて説明する。なお、本発明は、これら実施形態に何ら限定されるものではなく、その要旨を逸脱しない範囲において、種々なる態様で実施し得る。
【００１６】
（本発明の概念）
図１は、本発明の概念を説明する図である。人１０１が名刺印刷業者１０２に名刺の発注を行なう。この発注に基づいて、名刺印刷業者１０２が名刺を印刷して、広告物を付加することによって、本発明の広告付き名刺束を製造し、あるいは、広告付き名刺束を格納した名刺箱を製造し、人１０１へ納入する。
【００１７】
なお、図１では、人１０１が直接、名刺印刷業者１０２に名刺の発注を行なっているようになっているが、人１０１から別の人を介して名刺印刷業者１０２に名刺の発注が行なわれるようになっていてもよい。同様に、広告付き名刺束、あるいは、広告付き名刺束を格納した名刺箱の納入も、別の人を介して人１０１に納入されてもよい。この別の人の例としては、例えば、企業の総務部で働く者を挙げることができる。また、名刺印刷業者１０２が付加する広告物は、自らが製作したものに限られるわけではなく、他の印刷業者や広告制作会社などが製作した広告物を付加してもよい。
【００１８】
（実施形態１（主に請求項１に対応））
図２は、本発明の実施形態１の広告付き名刺束を模式的に表す図である。本実施形態において、広告付き名刺束は、名刺の束２０１と広告物２０２とから構成され、名刺の束２０１に広告物２０２が付加されている。
【００１９】
「名刺の束」２０１は、同じ内容が印刷された複数枚の名刺である。「同じ内容」といっても、厳密に一字一句まで同一である必要はない。実質的な部分が同じであればよい。「実質的な部分が同じ」とは、名刺の記載内容から特定できる人物が同一であることを意味する。すなわち、印刷されている名前、役職、所属組織名、住所、電話番号、ファクシミリ番号、ホームページアドレス、電子メールアドレスなどから特定される人物が同一であることを意味する。したがって、実質的でない部分としては、例えば名刺に振られたシーケンス番号、組織が受賞した賞の名称やロゴマークなどがある。すなわち、名刺として印刷された情報の人物を特定するのに必要でない部分が実質的でない部分である。
【００２０】
なお、名刺の束は、輪ゴムや紙テープなどによって一つにまとめられていてもよいし、輪ゴムや紙テープなどを用いずに単に積み上げられている状態であってもよい。
【００２１】
「広告物」２０２は、広告効果を奏する物である。例えば、広告内容が印刷された紙であるチラシである。また、チラシのような平面的なものである必要はなく、図２に示すように立体的な形状を持ったものでもよい。例えば、直方体、立方体、角錐、多面体、円柱、円錐、球、楕円体などや、折り紙で作られた折鶴などのように不規則な形を持つ形状でもよい。また、この広告物は、名刺の印刷を行なった者の広告である必然性はなく、名刺の印刷を行なった者以外の者の広告であってもよい。
【００２２】
「付加」とは、付け加えることである。例えば、名刺の束２０１と広告物２０２との距離を小さくして配置したり、密着させたりすることを含む。図２に示すように、広告物２０２を名刺束２０１の上に配置してもよい。逆に、広告物２０２を名刺の束２０１の下に配置してもよいし、広告物２０２を名刺の束２０１の側面に配置するようにしてもよい。
【００２３】
なお、名刺の束２０１と広告物２０２とは、輪ゴムや紙テープなどでひとつにまとめられていてもよいし、輪ゴムや紙テープなどを用いずに単に上下あるいは左右に配置されているだけでもよい。
【００２４】
（実施形態１：効果）
このように、名刺の束２０１に広告物２０２を付加することにより、広告物２０２を名刺の束２０１の名刺により特定される人に届けることが可能となる。したがって、特定の人に対して広告物を配布することができ、広告効果を上げることができる。また、名刺の印刷は長くても数時間で終了することができるので、雑誌などに掲載される広告と違い、広告主が広告を依頼してターゲット層の人に届けられるまでの時間を短くすることができる。また、名刺は、ある程度の時間間隔をおいて発注・納入されるものである。このため、短期間のうちに何度も同一人物に広告物が届けられてしまうことによる飽きなどの発生を防止することができ、広告効果が損なわれることもない。また、広告物を名刺の束に付加して配布をすることによる収入を名刺の作成代金に充当すれば、名刺を安価に提供することができる。
【００２５】
（実施形態２（主に請求項２に対応））
本発明の実施形態２は、広告物が、名刺として印刷された内容に基づいて選択されたことを特徴とする実施形態１をもとにした広告付き名刺束である。
【００２６】
名刺には、名前、所属組織の名称、役職の名称、住所、ホームページアドレス、電子メールアドレスなどが内容として印刷される。そこで、本実施形態においては、名刺として印刷された内容に基づいて、付加される広告物を選択する。
【００２７】
例えば、電子メールアドレスからインターネットサービスプロバイダ名を特定し、そのインターネットサービスプロバイダで行なわれているキャンペーンを広告する広告物を選択して付加することを行なう。
【００２８】
また、会社名と住所とから、その会社の事業所に売り込みをかけたい昼食弁当業者を選び、その昼食弁当業者の広告物を選択して付加することを行なうこともできる。
【００２９】
なお、「名刺として印刷された内容に基づいて選択された」とあるので、名刺の印刷の後に広告物の選択がされるように解釈することもできるが、本明細書では、名刺の印刷と広告物の選択の時間的な順序は問わない。例えば、名刺として印刷する内容を決めた後、印刷と広告物の選択とを同時並行的に進めてもよいし、あるいは、名刺として印刷する内容を決めた後、広告物の選択を行い、その後、名刺の印刷を行なってもよい。また、名刺の印刷が行なわれる場所と広告物が製作されあるいは選択される場所とが異なっていてもよい。
【００３０】
図３及び図４は、名刺として印刷された内容に基づいて、付加される広告物を選択するために使われる表の一例を示す。図３においては、名刺として印刷される役職と広告物との関連付けを表した表３０１が例示されている。もし、役職が「代表取締役」であれば、広告としてＡが関連付けられていることが意味される。また、図４においては、名刺として印刷される住所と広告物との関連付けを表した表４０１が例示されている。
【００３１】
これらの表を用いることにより、名刺として印刷された内容から、その内容に関連付けられた広告物を選択することができる。もし、一つの表により複数の広告物が選択される場合には、その複数の広告物を名刺の束に付加してもよい。また、他の表により関連付けられる広告物の集合との共通部分を用いるようにしてもよい。また、乱数などを用いることにより、複数の関連付けられた広告物から一つを選択するようにしてもよい。また、付加された広告物の履歴を名刺の発注者別に管理しておき、同じ広告物が付加されないようにしてもよい。
【００３２】
（実施形態２：広告付き名刺束を作るシステム（主に請求項９に対応））
図５は、本実施形態の広告付き名刺束を作るシステムの機能ブロック図を例示する。このシステムは、計算機５０１と、印刷機５０２と、広告物選択機５０３と、付加機５０４と、を備えている。
【００３３】
「計算機」５０１は、名刺として印刷する内容の情報を入力する。なお、入力される内容は名刺として印刷されるものだけに限定されることはない。例えば、趣味、興味のある分野、生年月日、性別、家族構成、自動車の保有状況、自宅の所有の有無など、通常は名刺として印刷されない個人情報が入力されてもよい。
【００３４】
「印刷機」５０２は、名刺として印刷する情報を計算機５０１より取得し、名刺を印刷する。あるいは、計算機５０１により指定された原版を、例えば倉庫よりベルトコンベアなどにより搬送して取得することにより名刺を印刷してもよい。
【００３５】
「広告物選択機」５０３は、計算機５０１に入力された情報に基づいて、広告物を選択し決定する。あるいは、広告物がチラシ、小冊子、クーポン券などの印刷可能なものである場合には、印刷内容を決定し、それに基づいて印刷するようにしてもよい。
【００３６】
「付加機」５０４は、印刷機５０２で印刷された名刺の束に、広告物選択機５０３で選択された広告物を付加する。例えば、印刷機５０２により印刷された名刺の束の上に、広告物選択機５０３により選択された広告物を倉庫よりベルトコンベアなどで搬送した後に、載せたりする。あるいは、名刺の束と広告物とは、紐、紙テープ、輪ゴムなどを用いて一体化したりしてもよい。また、包装紙により包装を行なって一体化してもよい。
【００３７】
（実施形態２：広告付き名刺束を作るシステムの処理）
図６は、図５のシステムの処理を説明するフローチャートを例示する。
【００３８】
ステップＳ６０１にて、計算機５０１に名刺として印刷する内容の入力を行なう。
【００３９】
ステップＳ６０２にて、印刷機５０２で名刺の印刷を行なう。
【００４０】
ステップＳ６０３にて、広告物選択機５０３で広告物の選択決定をする。
【００４１】
ステップＳ６０４にて、付加機５０４で広告物を名刺の束に付加する。ただし、付加機５０４は必ずしも使用しなければならないわけではなく、人の手によって広告物を名刺の束に付加するようにしてもよい。
【００４２】
なお、図６のフローチャートは例示であって、この通りに処理される必然性はない。例えば、ステップＳ６０２とステップＳ６０３との処理の順が入れ替わってもよい。また、並行して処理されるようになっていてもよい。また、この２つのステップは、異なる場所において、異なる時間に処理されるようになっていてもよい。
【００４３】
（実施形態２：広告付き名刺束製造方法を使用するための装置）
図５に例示されたシステムは、広告付き名刺束製造方法を使用するための装置と見なすこともできる。ここで、広告付き名刺束製造方法とは、名刺印刷ステップと、広告物選択ステップと、付加ステップと、を含む方法である。
【００４４】
「名刺印刷ステップ」とは、名刺を印刷するステップである。これは、上記のステップＳ６０２に対応する。名刺印刷ステップにより、通常は複数枚の名刺が作られ、名刺の束となる。
【００４５】
「広告物選択ステップ」とは、名刺として印刷される内容に基づいて広告物を選択するステップである。これは、上記のステップＳ６０３に対応する。
【００４６】
「付加ステップ」とは、名刺印刷ステップで印刷された名刺の束に、広告物選択ステップで選択された広告物を付加するステップである。これは、上記のステップＳ６０４に対応する。
【００４７】
なお、広告付き名刺束製造方法を使用するための装置は、図５に例示されたシステムに限定されることはない。例えば、名刺を印刷する印刷機と、広告物を選択する装置と、名刺の束に広告物を付加する装置と、を個別に用いることにより、広告付き名刺束製造方法を使用することができる。また、これらの装置は、必ずしも同じ場所（例えば同じ建物の中）に設置される必要はない。また、場合によっては、名刺の束に広告物を付加する作業を手作業で行なうようにすれば、名刺の束に広告物を付加する装置は不要である。また、広告物を選択する装置を用いる代わりに、名刺として印刷された内容を人が読み取り、その読み取った内容に基づいて一定の規則に基づいて広告物を選択するようにしてもよい。
【００４８】
（実施形態２：効果）
本実施形態によれば、名刺の発注者に適した広告物が付加されることになる。このため、広告物による広告効果を高めることができる。
【００４９】
（実施形態３（主に請求項３に対応））
本発明の実施形態３は、実施形態１または実施形態２の広告付き名刺束において、広告物の射影形状が名刺の大きさと同等又はそれ以下になっているものである。
【００５０】
「広告物の射影形状」とは、広告物に並行な光線を照射し、その光線と垂直な平面にできる影の形である。なお、広告物が透明である場合には、着色などを行い不透明にしてから光線を照射する。
【００５１】
「射影形状が名刺の大きさと同等またはそれ以下」とは、上記のようにしてできる影が名刺の全体あるいは名刺の一部として収まることを意味する。
【００５２】
（実施形態３：効果）
このように広告物の射影形状を名刺の大きさと同等またはそれ以下にすることにより、広告物を付加した名刺の束を自然な形で包装することができる。例えば、筒の中に広告物を付加した名刺の束を収納することができ、広告物を付加した名刺の束を郵便などで配送することができる。
【００５３】
（実施形態４（主に請求項４に対応））
本発明の実施形態４は、実施形態１から実施形態３において、広告物として小冊子を用いた実施形態である。
【００５４】
「小冊子」とは、紙などの印刷媒体を蛇腹状に折り曲げてできるもの、あるいは、紙などの印刷媒体をクリップでまとめたり、接着剤や紙綴機などによる針金などを用いて製本などの処理を行なったりしてできるものである。
【００５５】
図７は、名刺の束７０１に小冊子７０２を付加した様子を例示する。図７において、小冊子７０２は、印刷媒体を蛇腹状に折り曲げてできるものになっている。
【００５６】
特に、本実施形態が実施形態２をもとにしたものである場合には、小冊子の印刷媒体に印刷された内容は、名刺として印刷された内容に基づいて選択されることになる。
【００５７】
また、本実施形態が実施形態３をもとにしたものである場合には、表紙の大きさが名刺の大きさと同等かそれ以下となる。あるいは、小冊子がある程度の厚さがある場合には、小冊子に横方向から並行な光線を照射した時の影の形状が名刺の全体と同じになるか一部に含まれるようになっていてもよい。
【００５８】
（実施形態４：効果）
このように、広告物として小冊子を用いることにより、大量の情報をコンパクトにまとめて伝達することができる。
【００５９】
（実施形態５（主に請求項５に対応））
本発明の実施形態５は、実施形態１から実施形態３において、広告物として試供品を用いた実施形態である。
【００６０】
「試供品」とは、商品のサンプルである。例えば、文房具、化粧品、塗料、薬品、医薬品、医薬部外品、衛生用品、食料品、コンタクトレンズ、光ディスク、花火、玩具、皮革製品、鉱物、装身具、糸、織物などがある。
【００６１】
特に、本実施形態が実施形態２をもとにしたものである場合には、試供品は、名刺として印刷された内容に基づいて選択されることになる。
【００６２】
また、本実施形態が実施形態３をもとにしたものである場合には、試供品の射影形状が名刺の大きさと同等又はそれ以下となる。
【００６３】
（実施形態５：効果）
このように、広告物として試供品を用いることにより、実際に商品を試してもらうことができ、広告効果を高めることができる。
【００６４】
（実施形態６（主に請求項６に対応））
本発明の実施形態６は、実施形態１から実施形態４のいずれかの実施形態において、広告物としてクーポン券を用いた実施形態である。
【００６５】
「クーポン券」とは、商店などの施設で買い物をする際や役務の提供を受ける際に提示することにより、支払う対価を割り引いたり、対価の支払を不要としたりする札や文書などである。
【００６６】
図８は、名刺の束８０１にクーポン券８０２を付加する状態を例示している。
【００６７】
特に、本実施形態が実施形態２をもとにしたものである場合には、クーポン券は、名刺として印刷された内容に基づいて選択されることになる。
【００６８】
また、本実施形態が実施形態３をもとにしたものである場合には、クーポン券の射影形状が名刺の大きさと同等又はそれ以下となる。
【００６９】
さらに、本実施形態が実施形態４をもとにしたものである場合には、クーポン券は小冊子としてまとめられたり、製本されたりすることになる。
【００７０】
（実施形態６：効果）
このように、広告物としてクーポン券を用いることにより、役務の提供者にとっての広告効果を高めることができる。
【００７１】
（実施形態７（主に請求項７に対応））
本発明の実施形態７は、実施形態６におけるクーポン券を名刺として印刷された住所の付近の施設にて使用可能なものにしたことを特徴とするものである。
【００７２】
「名刺として印刷された住所の付近の施設」とは、名刺として印刷される住所と同一あるいは近くの住所を持つ施設である。「近く」とは、例えば、徒歩で１０分以内で行ける範囲内にある、あるいは、電車の隣の駅の圏内などである。近くかどうかは、名刺として印刷される役職に応じて変化させるようにしてもよい。例えば、役職が役員である場合には、社用車が使用できる可能性が高いので、自動車で１０分以内に行ける範囲内とするようにしてもよい。また、近くかどうかを、施設の性質に応じて変化させるようにしてもよい。例えば、遊園地などの集客力の高い施設である場合には、集客力に基づいて、例えば、電車で一時間以内に行ける範囲とするようにしてもよい。
【００７３】
クーポン券は、特定の施設で使用可能なものである。そこで、クーポン券に対して、その施設の住所を対応付けることができる。本実施形態においては、名刺として印刷される住所と同一あるいは近くの住所が対応付けられているクーポン券を名刺の束に付加するのである。
【００７４】
（実施形態７：効果）
このように、名刺として印刷された住所の付近の近くで使用可能なクーポン券を名刺の束に付加することにより、本実施形態の広告付き名刺束が納入された人がそのクーポン券を使用する確率が高まり、広告効果を上げることができる。
【００７５】
（実施形態８（主に請求項８に対応））
本発明の実施形態８は、実施形態１ないし実施形態７のいずれかの広告付き名刺束を格納した名刺箱である。
【００７６】
この名刺箱の材質は、紙、プラスチック、ガラスなど、ある程度の耐久性があるものでよい。
【００７７】
また、プラスチックやガラスの場合には、透明にすることもできるが、広告物が格納されている部分を不透明にするようにしてもよい。
【００７８】
（実施形態８：効果）
このように、箱に広告付き名刺束を格納することにより、可搬性が高まるという効果が発生する。また、名刺箱の外部より広告物が見えなくすることにより、箱を開けない限りどのような広告物が名刺の束に付加されているかを知ることができなくなる。結果として、広告物に対する興味が高まることになり、広告の効果を上げることができるようになる。
【００７９】
（実施形態９（主に請求項１０と１１に対応））
本発明の実施形態９は、クーポン付き名刺束製造方法である。すなわち、実施形態６の広告付き名刺束を製造する方法である。
【００８０】
（実施形態９：構成と各ステップの説明）
本実施形態のクーポン付き名刺束製造方法は、名刺印刷ステップと、クーポン印刷内容決定ステップと、クーポン券印刷ステップと、付加ステップと、を含む。
【００８１】
「名刺印刷ステップ」は、名刺を印刷するステップである。例えば、印刷機やプリンターにより、名刺を印刷するステップである。ここで、「印刷機」とは、原版を用いて印刷を行なう機械であり、「プリンター」とは、計算機からの指令を受けて印刷を行なう機械である。
【００８２】
「クーポン印刷内容決定ステップ」は、前記名刺として印刷される内容に基づいてクーポン券の内容を決定するステップである。「基づいて」とあるのは、前記名刺として印刷される内容と、クーポン券の内容と、に何らかの関係があることを意味する。例えば、名刺として印刷される役職の名称によってクーポン券の内容を決定したり、所属組織名や住所によってクーポン券の内容を決定したりする。
【００８３】
特に、住所によってクーポン券の内容が決定される場合には、クーポン券が使用可能である施設が、名刺として印刷される住所の付近であるように、クーポン券の内容が決定されてもよい。
【００８４】
また、名刺として印刷される内容以外の情報に基づいてクーポン券の内容が決定されてもよい。例えば、名刺が表す人物の家族構成や趣味、興味のある事象などによってクーポン券の内容が決定されてもよい。
【００８５】
「クーポン券印刷ステップ」は、クーポン印刷内容決定ステップで決定された内容を印刷してクーポン券を製作するステップである。
【００８６】
「付加ステップ」は、名刺印刷ステップで印刷された名刺の束に、クーポン券印刷ステップで印刷されたクーポン券を付加するステップである。例えば、名刺の束の上にクーポン券を載せたり、クーポン券の上に名刺の束を載せたりする。
【００８７】
なお、名刺印刷ステップとクーポン券印刷ステップとは同じ場所（例えば、同じ建物の中）で同時に行なわれる必要はない。例えば、異なる場所において、異なる時間に、この二つのステップが行なわれてもよい。
【００８８】
（実施形態９：処理の流れ）
図９は、本実施形態の広告付き名刺束を製造する処理の流れを説明するフローチャートを例示する。
【００８９】
ステップＳ９０１において、名刺として印刷する内容の入力を行なう。例えば、氏名、役職の名称、所属組織の名前、住所、電話番号、ファクシミリ番号、ホームページアドレス、電子メールアドレス、ロゴマークなどを入力する。
【００９０】
ステップＳ９０２は、名刺印刷ステップであり、ステップＳ９０１で入力された内容に基づいて名刺を印刷する。
【００９１】
ステップＳ９０３は、クーポン印刷内容決定ステップであり、ステップＳ９０１で入力された内容に基づいてクーポン券の内容の決定を行なう。
【００９２】
ステップＳ９０４は、クーポン券印刷ステップであり、ステップＳ９０３で決定された内容に基づいてクーポン券を印刷する。
【００９３】
ステップＳ９０５は、付加ステップであり、ステップＳ９０４で印刷されたクーポン券をステップＳ９０２で印刷された名刺の束に付加することを行なう。
【００９４】
なお、図９のフローチャートは一例であり、例えば、Ｓ９０２とＳ９０３との順序が入れ替わって行なわれたり、並行して行なわれたりするようになっていてもよい。また、上述したように、ステップＳ９０２とステップＳ９０４とは、異なる場所において、異なる時間に行なわれるようになっていてもよい。
【００９５】
（実施形態９：本実施形態の方法を用いるためのシステム）
図１０は、本実施形態の広告付き名刺束を製造する方法を用いるためのシステムの機能ブロック図を例示する。
【００９６】
このシステムは、計算機１００１と印刷機１００２とからなり、印刷機１００２は、印刷部１００３と、名刺用紙格納部１００４と、クーポン用紙格納部１００５と、を備えている。このシステムにおいては、名刺の印刷とクーポン券の印刷とが同じ場所で行なわれるようになっているが、このように同じ場所で印刷が行なわれることは、本発明の必須の条件となっているわけではない。
【００９７】
「計算機」１００１は、ＣＰＵ、ハードディスク、キーボード、ディスプレイなどからなり、印刷機１００２を制御する。例えば、名刺として印刷する内容がキーボードなどを用いて計算機に入力され、その入力された内容の名刺を印刷するように印刷機１００２に指令を出す。
【００９８】
「印刷機」１００２は、名刺やクーポン券を印刷する。
【００９９】
「印刷部」１００３は、印刷を行なう。例えば、計算機１００１から入力された内容を紙などの媒体に印刷するプリンター、計算機１００１により指定された原版などを用いて印刷を行なう装置などである。
【０１００】
「名刺用紙格納部」１００４は、名刺の印刷に使用する紙などの媒体を格納し、名刺の印刷が行なわれるときに印刷部１００３へ紙などの媒体を供給する。
【０１０１】
「クーポン用紙格納部」１００５は、クーポン券の印刷に使用する紙などの媒体を格納し、クーポン券の印刷が行なわれるときに印刷部１００３へ紙などの媒体を供給する。なお、名刺とクーポン券とで同じ紙などの印刷媒体が使用される場合には、名刺用紙格納部１００４とクーポン用紙格納部１００５とが同一になっていてもよい。
【０１０２】
このシステムにおいて、図９に例示されたフローチャートは次のように実行される。ステップＳ９０１は、計算機１００１に対して行なわれる。ステップＳ９０２は、名刺用紙格納部１００４から紙などの媒体の供給を受けて印刷部１００３で実行される。ステップＳ９０３は、計算機１００１にて実行される。ステップＳ９０４は、クーポン用紙格納部より紙などの媒体の供給を受けて印刷部１００３で実行される。ステップＳ９０５は、印刷部１００３にて名刺の印刷が行なわれた場合の排紙先とクーポン券の印刷が行なわれた場合の排紙先が同じであれば、ステップＳ９０２とステップＳ９０４とが実行されれば自然と行なわれる。また、排紙先が異なれば、人間の手で付加を行なってもよいし、機械によって実行されるようになっていてもよい。
【０１０３】
（実施形態９：効果）
本実施形態の方法を用いることにより、クーポン券を用いた広告手法の広告効果を高くすることができる。
【０１０４】
【発明の効果】
以上のように本発明によれば、広告物を名刺により特定される人に届けることが可能となる。したがって、属性が明らかな人に広告物を配布することができ、広告効果を上げることができる。また、広告物の配布による収入を名刺の作成代金に充当すれば、名刺を安価に提供することができる。
【図面の簡単な説明】
【図１】本発明の概念を示す図
【図２】本発明の実施形態１の広告付き名刺束を模式的に表す図
【図３】名刺として印刷された内容に基づいて、付加される広告物を選択するために使われる表の一例
【図４】名刺として印刷された内容に基づいて、付加される広告物を選択するために使われる表の一例
【図５】実施形態２の広告付き名刺束を作るシステムの機能ブロック図
【図６】図５のシステムの処理を説明するフローチャート
【図７】名刺の束７０１に小冊子７０２を付加した様子を示す図
【図８】名刺の束８０１にクーポン券８０２を付加した様子を示す図
【図９】実施形態９の広告付き名刺束を製造する処理のフローチャート
【図１０】実施形態９の方法を用いるシステムの機能ブロック図
【符号の説明】
２０１　名刺の束
２０２　広告物
【図１】
2004058475.tif 000003
【図２】
2004058475.tif 000004
【図３】
2004058475.tif 000005
【図４】
2004058475.tif 000006
【図５】
2004058475.tif 000007
【図６】
2004058475.tif 000008
【図７】
2004058475.tif 000009
【図８】
2004058475.tif 000010
【図９】
2004058475.tif 000011
【図１０】
2004058475.tif 000012